(57)【要約】【課題】摺動機構により光源を摺動させるフォーカス部において、衝突時の衝撃低減を図る。【解決手段】灯体１０内に設けられた光源１と；光源１を支持するソケット４２を含む支持体と；支持体を光源１からの光照射方向及びその逆方向へ摺動させる摺動機構を備えるフォーカス部と；支持体の摺動方向における前方及び後方に設けられたコイルバネ５３、５８と；を具備した。【選択図】図６
2008034310.tif 000002
【特許請求の範囲】
【請求項１】
灯体と；
灯体内に設けられた光源と；
光源を支持する支持体と；
支持体を光源からの光照射方向及びその逆方向へ摺動させる摺動機構を備えるフォーカス部と；
支持体の摺動方向における前方及び後方に設けられた弾性部材と；
を具備したことを特徴とするスポットライト。
【請求項２】
摺動機構は、支持体を貫通し、支持体が摺動可能な状態に保持する二本の摺動軸を備え；
弾性部材は、弾性部材が二本の摺動軸のそれぞれにおいて支持体の後方に設けられる第１、第２の弾性部材と、二本の摺動軸間であって支持体の摺動方向における前方に設けられた第３の弾性部材とにより構成されることを特徴とするスポットライト。
【発明の詳細な説明】
【技術分野】
【０００１】
この発明は、フォーカス部を備えたスポットライトに関し、特に白熱電球やハロゲン電球を光源として用いるスポットライトに関する。
【背景技術】
【０００２】
従来、スタジオやロケ地などにおいて使用されるこの種のスポットライトにあっては、演出や撮影者の意向に応じるために、スポットライトにて照射したい人物や舞台セットなどに対して、照射光の明るさと広がりを調整するフォーカス部を備えている。
【０００３】
例えば、特許文献１においては、スポットライトケース内に照明灯を装着したホルダーがスポットライトケースの前後方向に沿って往復運動可能に設けられたスポットライトが示されている。
【特許文献１】特開平７−１１４８１６号公報
【発明の開示】
【発明が解決しようとする課題】
【０００４】
上記のようなフォーカス部においては、摺動機構により光源を摺動させるのであるが、摺動の終端においてストッパに対し光源を搭載した移動部分が衝突して、この衝突の運動エネルギーによって光源である電球において所謂「フィラメントタッチ」を起こすことがあった。
【０００５】
ここに、「フィラメントタッチ」とはフィラメントの概ね中央部を支持している金属細棒のループ状先端が、コイル状に巻かれたフィラメントの一部を圧縮或いは伸長させる現象である。この「フィラメントタッチ」が起こると、フィラメントの一部において圧縮（圧縮部分の近傍では伸長）が生じ、抵抗の高い部分ができて、通電により、発熱電球やハロゲン電球における特有の短寿命化現象である「Ｓ断」が起こる問題があった。
【０００６】
本発明は、このような従来のスポットライトにおける問題を解決せんとしてなされたもので、その目的は、摺動機構により光源を摺動させるフォーカス部を有するスポットライトにあっても、移動部分に衝突が起こる「フィラメントタッチ」を抑制し、これにより光源の長寿命化を図ることが可能なスポットライトを提供することである。
【課題を解決するための手段】
【０００７】
本発明に係るスポットライトは、灯体と；灯体内に設けられた光源と；光源を支持する支持体と；支持体を光源からの光照射方向及びその逆方向へ摺動させる摺動機構を備えるフォーカス部と；支持体の摺動方向における前方及び後方に設けられた弾性部材と；を具備したことを特徴とする。
【０００８】
ここに光源としては、白熱電球及びハロゲン電球を用いることができる。弾性部材としては、コイルバネが好適であるが、特にコイルバネに限定されるものではない。摺動機構に対して及ぼす力は、手動によってもモータ等の電動による構成も許容する。
【０００９】
また、本発明に係るスポットライトでは、摺動機構は、支持体を貫通し、支持体が摺動可能な状態に保持する二本の摺動軸を備え；弾性部材は、弾性部材が二本の摺動軸のそれぞれにおいて支持体の後方に設けられる第１、第２の弾性部材と、二本の摺動軸間であって支持体の摺動方向における前方に設けられた第３の弾性部材とにより構成されることを特徴とする。
【発明の効果】
【００１０】
本発明に係るスポットライトによれば、支持体の摺動方向における前方及び後方に弾性部材が設けられているので、光源を支持する支持体が移動して摺動部分の終端に近付いた場合に弾性部材によって移動のエネルギーが吸収されるように働き、激突或いは激突に近い状態を回避し、「フィラメントタッチ」を抑制し、これにより光源の長寿命化を図ることが可能となる。
【００１１】
また、本発明に係るスポットライトによれば、支持体を貫通し、支持体が摺動可能な状態に保持する二本の摺動軸を備えているので、支持体が安定した状態で摺動されると共に、弾性部材は二本の摺動軸のそれぞれにおいて支持体の後方に設けられる第１、第２の弾性部材と、支持体の摺動方向における前方に設けられた第３の弾性部材とにより構成されるので、二本の摺動軸を利用して弾性部材を配置できると共に、支持体の前方と後方でバランス良く衝撃を吸収することができる。また、第３の弾性部材は、二本の摺動軸間に設けることで、弾性部材を設けるために前側の摺動軸を長く設けることがないので、フォーカス部が大形化することを抑制することができる。
【発明を実施するための最良の形態】
【００１２】
以下添付図面を参照して、本発明に係るスポットライトの実施例を説明する。各図において、同一の構成要素には同一の符号を付して重複する説明を省略する。図１、図２に、実施例に係るスポットライトの外観図を示す。スポットライトは、釣鐘状の灯体１０を備え、灯体１０の前面側には、レンズや透光板などにより構成される窓部１１が備えられると共に、窓部１１の四隅にはバンドア１２が取り付けられている。
【００１３】
灯体１０の側部には、Ｕ字状のアーム１３の端部がネジ１４により取り付けられている。アーム１３の最下端部付近には、スタンドの脚部から延びるポールが挿入されるジョイント１５が設けられ、このジョイント１５に挿入されるポールは、ネジ１６により固定される。灯体１０の後部には、円板状のフォーカスハンドル１７が設けられている。
【００１４】
図３には、灯体１０内に設けられるズーム部の組立図が示されている。２１は本体後面板であり、この本体後面板２１は縦部分を構成する背板部分と、背板部分の下端部から下側前方へ延びるケーブル挿入部とにより構成されている。本体後面板２１の背板部分の中央部には、回転軸３１が挿入される孔２２が形成され、また本体後面板２１のケーブル挿入部には図６と図７に示されるケーブルプロテクトバネ２３を挿入して保持する径を有する孔２４が形成されている。
【００１５】
本体後面板２１には摺動機構が設けられる。この摺動機構は、摺動台本体３０、回転軸３１、摺動回転板３２、摺動台３３、摺動案内部材４１、ソケット４２、遮熱板４３を備える。
【００１６】
摺動台本体３０は、縦板状の基部３４と、基部３４の下端部から光源の光の照射方向（図３の左方向）に平行に延びる二本の円柱状の摺動軸３５を備える。回転軸３１においては、円柱状の基部の後端側にフォーカスハンドル１７を固定するネジ１９が螺合されるネジ孔３６が設けられており、円柱状の基部の前端側に板取付部３７を備えている。板取付部３７は、円柱の軸に対し傾きを持ってカットした取付面３７Ａを有し、この取付面３７Ａには、摺動回転板３２がネジ３８により取り付けられる。また、本体後面板２１と摺動台本体３０との間においてリング２５が嵌入されるスリット２６が回転軸３１の中央部の円周部を一周するように形成されている。リング２５は、回転軸３１の横方向への移動を規制する機能を有している。
【００１７】
摺動回転板３２は、円板状の二箇所に切欠部を有しており、切欠部には平面部分から折り曲げられた小片が設けられ、この小片には、摺動回転板３２の回転に対するストッパの機能を有する袋ナット４５が設けられている。摺動回転板３２には、ネジ３８を通す孔３２Ａ及び回転軸３１の板取付部３７における取付面３７Ａに形成された凸部３７Ｂが嵌入される孔３２Ｂが形成されている。
【００１８】
摺動台３３は、摺動台本体３０の二本の摺動軸３５が挿入される二本の筒部５１を備え、この二本の筒部５１を上部おいて連絡して連結すると共に摺動案内部材４１及びソケット４２が結合される基部５２を備える。摺動台本体３０の二本の摺動軸３５を摺動台３３の二本の筒部５１へ挿入する場合には、コイルバネ５３が二本の摺動軸３５のそれぞれに装着される。このコイルバネ５３は、摺動方向において、光源を支持する支持体の後方に設けられた弾性部材を構成する。
【００１９】
摺動案内部材４１は、水平な基部から上方に二枚の取付板４４、４４が立設された構成となっており、取付板４４、４４には、半円球状の頭部を備えるネジ４５、４５が頭部を向かい合わせて横向きに螺合されている。この摺動案内部材４１は、ネジ４６によって摺動台３３における基部５２の中央部（図３に示された摺動台３３の奥行き方向における中央部）に固定される。
【００２０】
ソケット４２は、図６、図７に示す光源１である白熱電球やハロゲン電球を横方向に寝かせた状態にて支持するようにソケット口が側部に設けられている。図６、図７に示す光源１における電球内には、フィラメント２が備えられている。ソケット口にはリード線５４が接続されている。ソケット４２は、ネジ５５により摺動台３３に固定される。
【００２１】
遮熱板４３は、側面の形状がＬ字状であり、縦板部の下部分における中央部（図３に示された摺動台３３の奥行き方向における中央部）は孔が穿設されており、この孔側にネジ部を有する円柱状のバネ固定軸５６がナット５７により固定される。バネ固定軸５６にはコイルバネ５８が装着され、このコイルバネ５８は、摺動方向において、光源を支持する支持体の前方に設けられた弾性部材を構成する。コイルバネ５８を摺動軸３５ではなく、遮熱板４３から突出させたバネ固定軸５６に装着して摺動台３３に当接するように構成したので、図７に明らかな通り、遮熱板４３にソケットが当接する状態を実現でき、現状の摺動ストロークに変化を与えることがない。仮に、コイルバネ５８を摺動軸３５に装着する場合には摺動軸３５の長さを延ばして現状の摺動ストロークを確保する必要があり、スポットライトの灯体１０など各部の構成の変更が必要となる。
【００２２】
遮熱板４３には、摺動台本体３０の摺動軸３５の先端に形成されたネジ部が入る孔が形成されており、この孔を介して摺動軸３５における先端のネジ部とプッシュナット５９とが螺合され、遮熱板４３が摺動台本体３０に固定される。
【００２３】
遮熱板４３の平面部の中央にはネジ孔が設けられており、平面部の下面側には絶縁板６１を介して中継端子台６２がネジ６３により固定される。上記において、コイルバネ５３の弾性は、コイルバネ５８の弾性のほぼ半分とし、フォーカスハンドル１７を回転したときのバネによる付加を回転方向に拘らず均等にしてある。また、摺動軸３５を摺動する摩擦力を所要にして、フォーカスハンドル１７を回転して、どの位置においても適切な停止が可能に構成した。
【００２４】
以上説明した各構成要素を用いて構成した摺動機構における摺動案内部材４１に関する組立完成図を図４、図５に示す。この図４、図５においては、摺動台本体３０の摺動軸３５に装着されるコイルバネ５３、更にバネ固定軸５６及びコイルバネ５８を除いて、必要部分を示したものである。図４、図５に示されている摺動案内部材４１と摺動台３３とソケット４２は、奥側の一本の摺動軸３５に対して横方向に摺動可能に装着されている。この図４は奥側の一本の摺動軸３５のみを示す。
【００２５】
摺動台本体３０の基部３４の孔及びウェーブワッシャ６５を介してネジ孔３６を突出させた回転軸３１においては、ネジ孔３６側と反対側の端部が板取付部３７となっており、板取付部３７の傾斜した取付面３７Ａに摺動回転板３２が取り付けられている。摺動回転板３２の円弧部３２Ｃ（図３）が、ネジ４５、４５の対向する半円球状の頭部間に挟まった状態で取り付けられている。ネジ１９により回転軸３１に固定されているフォーカスハンドル１７が、図３の矢印Ｘに示すように回転されると、摺動台本体３０の孔を軸孔として回転軸３１が回転し、摺動回転板３２が回転する。
【００２６】
摺動回転板３２は傾斜しているので、上記回転に応じて、円弧部３２Ｃ（図３）の内、ネジ４５、４５の対向する半円球状の頭部間に挟まっている部分は、図４の左右方向へ移動する。この移動に伴い摺動案内部材４１は矢印Ｙに示すように左右に移動する。従って光源を支持したソケット４２についても移動するものである。このように摺動案内部材４１等は二本の摺動軸３５を摺動する。
【００２７】
このような摺動機構では、摺動台本体３０の二本の摺動軸３５にそれぞれ装着されたコイルバネ５３と、バネ固定軸５６に装着されたコイルバネ５８とは、図６、図７に示されるように機能する。ネジ１９により回転軸３１に固定されているフォーカスハンドル１７が、図３の矢印Ｘに示すように回転されると、摺動案内部材４１とソケット４２等を含む光源１の支持体が二本の摺動軸３５上を摺動し、支持体の摺動方向における後方に移動して終端部（摺動軸３５の基部付近）に近付くとコイルバネ５３のテンションによりブレーキが働き、図６に示すように最終的にはコイルバネ５３がかなり縮んで、衝突時の速度を低減させて光源に大きな振動を与えることなく、「フィラメントタッチ」及び「Ｓ断」が起こる度合いを低減させる。
【００２８】
フォーカスハンドル１７を、上記とは逆に回転させると、摺動案内部材４１とソケット４２等を含む光源の支持体が二本の摺動軸３５上を図の左方向へ摺動し、終端部（遮熱板４３の基部付近）に近付くとコイルバネ５８のテンションによりブレーキが働き、図７に示すように最終的にはコイルバネ５３がかなり縮んで、衝突時の速度を低減させて光源に大きな振動を与えることなく、「フィラメントタッチ」及び「Ｓ断」が起こる度合いを低減させる。
【００２９】
図８に、コイルバネ５８による衝突時の衝撃低減効果を立証するための実験結果を示す。フォーカスハンドル１７にワイヤーを取り付け、おもりを吊るし、ハンドルを回して「落下高さ」を決め、おもりを落下させる。図８はその落下エネルギーと光源の「フィラメントタッチ」発生の関係を示している。この図８から、摺動台本体３０の二本の摺動軸３５にそれぞれ装着されたコイルバネ５３と、バネ固定軸５６に装着されたコイルバネ５８を装着させた場合において、「フィラメントタッチ」及び「S断」が発生する落下エネルギーが向上することが明らかであり、安全率が１１．９倍となったことが分かる。
【図面の簡単な説明】
【００３０】
【図１】本発明に係るスポットライトの実施例における側面図。
【図２】本発明に係るスポットライトの実施例における正面図。
【図３】本発明に係るスポットライトの実施例における組立状態を示す側面図。
【図４】本発明に係るスポットライトの実施例における摺動機構の要部側面図。
【図５】本発明に係るスポットライトの実施例における摺動機構の要部正面図。
【図６】本発明に係るスポットライトの実施例の摺動機構において、支持体が後方へ移動した場合の要部側面図。
【図７】本発明に係るスポットライトの実施例の摺動機構において、支持体が前方へ移動した場合の要部側面図。
【図８】本発明に係るスポットライトの実施例の摺動機構において、支持体の前方へ配置したコイルバネによる衝突時の衝撃低減効果を立証するための実験結果を示す図。
【符号の説明】
【００３１】
１  光源
２  フィラメント
１０  灯体
１７  フォーカスハンドル
２１  本体後面板
３０  摺動台本体
３１  回転軸
３２  摺動回転板
３３  摺動台
３５  摺動軸
４１  摺動案内部材
４２  ソケット
４３  遮熱板
５３、５８コイルバネ
【図１】
2008034310.tif 000003
【図２】
2008034310.tif 000004
【図３】
2008034310.tif 000005
【図４】
2008034310.tif 000006
【図５】
2008034310.tif 000007
【図６】
2008034310.tif 000008
【図７】
2008034310.tif 000009
【図８】
2008034310.tif 000010